【手続補正書】
【提出日】平成22年2月12日(2010.2.12)
【手続補正１】
【補正対象書類名】特許請求の範囲
【補正対象項目名】全文
【補正方法】変更
【補正の内容】
【特許請求の範囲】
【請求項１】
第１画像を表示する第１表示パネルと、
前記第１表示パネルに形成され、第１表示パネルに前記第１画像に対応する第１データ電圧及びデータ駆動信号を出力する第１駆動部と、
前記第１表示パネルと電気的に接続され、第２画像を表示する第２表示パネルと、
前記第２表示パネルに形成され、前記データ駆動信号を受け、前記データ駆動信号に応答して第２表示パネルに前記第２画像に対応する第２データ電圧を出力する第２駆動部とを有することを特徴とするデュアル表示装置。
【請求項２】
前記第１表示パネルは、前記第１画像を表示する第１表示領域と、前記第１表示領域を囲み、第１領域と第２領域とを含む第１周辺領域に区画され、
前記第１周辺領域の第１領域に集積され、前記第１表示パネルにゲート信号を出力する第１ゲート駆動部を更に有することを特徴とする請求項１に記載のデュアル表示装置。
【請求項３】
前記第１周辺領域の第２領域には、前記第１駆動部が形成されることを特徴とする請求項２に記載のデュアル表示装置。
【請求項４】
前記第１駆動部は、外部から提供される第１及び第２データ信号を保存するメモリ部と、
前記第１データ信号をアナログ形態の前記第１データ電圧に変換して前記第１表示パネルに出力する第１ソース駆動部と、
前記外部から提供される原始制御信号に基づいて前記第１ソース駆動部及び第１ゲート駆動部を制御する第１タイミング制御部とを含むことを特徴とする請求項３に記載のデュアル表示装置。
【請求項５】
前記第１駆動部は、統合チップとして前記第１周辺領域の第２領域に装着されることを特徴とする請求項４に記載のデュアル表示装置。
【請求項６】
前記第１駆動部は、前記第１ソース駆動部及び第１ゲート駆動部に第１駆動電圧をそれぞれ提供する第１電圧発生部を更に含むことを特徴とする請求項５に記載のデュアル表示装置。
【請求項７】
第１駆動信号に応答して第１画像を表示する第１表示パネルと、
第２駆動信号に応答して第２画像を表示する第２表示パネルと、
前記第１表示パネルに形成され、受信した原始画像信号を保存するメモリ部を含み、前記原始画像信号の同期信号に応答して原始画像信号に基づく第１画像信号と、該第１画像信号が前記第１表示パネルに提供されるタイミングを制御する第１制御信号とを生成する前記第１駆動信号を生成する第１駆動部と、
前記第１表示パネルと第２表示パネルとを電気的に接続する連結部と、
前記第２表示パネルに形成され、前記連結部を通じて前記メモリ部から伝達された前記原始画像信号及び前記同期信号に応答して、第２画像信号と、該第２画像信号が前記第２表示パネルに提供されるタイミングを制御する第２制御信号とを含む前記第２駆動信号を生成する第２駆動部とを有することを特徴とするデュアル表示装置。
【請求項８】
前記第１駆動部は、前記第１制御信号及び第１画像信号に応答して前記第１表示パネルに第１ソース信号を出力する第１ソース駆動部と、
前記第１制御信号に応答して前記第１表示パネルに第１ゲート信号を出力する第１ゲート駆動部と、
前記同期信号に応答して、前記第１制御信号および第１画像信号を前記第１ソース駆動部に出力し、前記第１制御信号を前記第１ゲート駆動部に出力する第１タイミング制御部と、
前記第１タイミング制御部から提供された第１電圧制御信号に応答して、前記第１タイミング制御部、第１ソース駆動部、第１ゲート駆動部、及び第１表示パネルに印加する第１駆動電圧を提供する第１電圧発生部とを含むことを特徴とする請求項７に記載のデュアル表示装置。
【請求項９】
前記第２駆動部は、前記第２表示パネルに集積され、
前記第２制御信号及び第２画像信号に応答して前記第２表示パネルに第２ソース信号を出力する第２ソース駆動部と、
前記第２制御信号に応答して前記第２表示パネルに第２ゲート信号を出力する第２ゲート駆動部と、
前記原始画像信号の同期信号に応答して、前記第２制御信号及び第２画像信号を前記第２ソース駆動部に出力し、前記第２制御信号を前記第２ゲート駆動部に出力する第２タイミング制御部と、
前記第２タイミング制御部から提供された第２電圧制御信号に応答して、前記第２タイミング制御部、第２ソース駆動部、第２ゲート駆動部、及び第２表示パネルに印加する第２駆動電圧を提供する第２電圧発生部とを含むことを特徴とする請求項８に記載のデュアル表示装置。
【手続補正２】
【補正対象書類名】明細書
【補正対象項目名】０００８
【補正方法】変更
【補正の内容】
【０００８】
上記目的を達成するためになされた本発明によるデュアル表示装置は、第１画像を表示する第１表示パネルと、前記第１表示パネルに形成され、第１表示パネルに前記第１画像に対応する第１データ電圧及びデータ駆動信号を出力する第１駆動部と、前記第１表示パネルと電気的に接続され、第２画像を表示する第２表示パネルと、前記第２表示パネルに形成され、前記データ駆動信号を受け、前記データ駆動信号に応答して第２表示パネルに前記第２画像に対応する第２データ電圧を出力する第２駆動部とを有することを特徴とする。
【手続補正３】
【補正対象書類名】明細書
【補正対象項目名】０００９
【補正方法】変更
【補正の内容】
【０００９】
前記第１表示パネルは、前記第１画像を表示する第１表示領域と、前記第１表示領域を囲み、第１領域と第２領域とを含む第１周辺領域に区画され、前記第１周辺領域の第１領域に集積され、前記第１表示パネルにゲート信号を出力する第１ゲート駆動部を更に有することが好ましい。
前記第１周辺領域の第２領域には、前記第１駆動部が形成されることが好ましい。
前記第１駆動部は、外部から提供される第１及び第２データ信号を保存するメモリ部と、前記第１データ信号をアナログ形態の前記第１データ電圧に変換して前記第１表示パネルに出力する第１ソース駆動部と、前記外部から提供される原始制御信号に基づいて前記第１ソース駆動部及び第１ゲート駆動部を制御する第１タイミング制御部とを含むことが好ましい。
前記第１駆動部は、統合チップとして前記第１周辺領域の第２領域に装着されることが好ましい。
前記第１駆動部は、前記第１ソース駆動部及び第１ゲート駆動部に第１駆動電圧をそれぞれ提供する第１電圧発生部を更に含むことが好ましい。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
また、上記目的を達成するためになされた本発明によるデュアル表示装置は、第１駆動信号に応答して第１画像を表示する第１表示パネルと、第２駆動信号に応答して第２画像を表示する第２表示パネルと、前記第１表示パネルに形成され、受信した原始画像信号を保存するメモリ部を含み、前記原始画像信号の同期信号に応答して原始画像信号に基づく第１画像信号と、該第１画像信号が前記第１表示パネルに提供されるタイミングを制御する第１制御信号とを生成する前記第１駆動信号を生成する第１駆動部と、前記第１表示パネルと第２表示パネルとを電気的に接続する連結部と、前記第２表示パネルに形成され、前記連結部を通じて前記メモリ部から伝達された前記原始画像信号及び前記同期信号に応答して、第２画像信号と、該第２画像信号が前記第２表示パネルに提供されるタイミングを制御する第２制御信号とを含む前記第２駆動信号を生成する第２駆動部とを有することを特徴とする。